(57)【要約】      （修正有）【課題】衣類の肩部に整合して型崩れを防止でき、高強度の紙製ハンガーを提供する。【解決手段】展開状態で帯状肩部３を山形に湾曲し、その両側に第１折筋４と第２折筋５とを並列する。第１折筋４に隣接しその中央に中央係止片部６、その両側に一対の第１分割側部７を設ける。さらに、第２折筋５に隣接して連続した第２側部８を設ける。また、フック部２は中央の折筋の両側に対称形の第１部材と第２部材とを形成し、それを折り重ねるとともに、フック部２を第２側部８に折り重ね、各重ね部を接着する。【選択図】図４
0003159829.tif 000002
【実用新案登録請求の範囲】
【請求項１】
細長い本体部(1)と、その本体部(1)の中央部に形成されたフック部(2)とが一体になるように、厚紙が切断され、その本体部(1)が幅方向に折り曲げられてなる紙製ハンガーにおいて、
前記本体部(1)は、幅方向の中央で、その長手方向に沿う帯状部が、展開状態で山形に湾曲した帯状肩部(3)を有し、その帯状肩部(3)の両側に山折りの第１折筋(4)と第２折筋(5)とが並列され、
第１折筋(4)に隣接して、その長手方向中央位置に中央係止片部(6)を有し、その長手方向の両側に隣接して一対の第１分割側部(7)を断続的に有し、
第２折筋(5)に隣接して連続した第２側部(8)を有し、
その第２側部(8)の長手方向中央部の縁に谷折りの第４折筋(9)を介して、前記フック部(2)が突設され、
前記本体部(1)が前記第１折筋(4)および第２折筋(5)で山折されたとき、その帯状肩部(3)が平面視および正面視で湾曲することを特徴とする紙製ハンガー。
【請求項２】
請求項１において、
前記第２側部(8)の長手方向中央部に互いに長手方向に離間して、一対の第３折筋(17)が前記第２折筋(5)から前記幅方向へ谷折に形成されたことを特徴とする紙製ハンガー。
【請求項３】
請求項１または請求項２において、
前記フック部(2)は、前記幅方向に形成された中央の折筋(10)の両側に、略対称形の第１部材(11)と第２部材(12)とを有し、その第１部材(11)のみが前記第４折筋(9)に隣接し、
その第１部材(11)と第２部材(12)とが折り重ねられると共に、その重なり部が接着されてフック部(2)を構成し、そのフック部(2)が第４折筋(9)で第２側部(8)の中央に折り重ねられ、その重なり部が接着された紙製ハンガー。
【請求項４】
請求項１〜請求項３のいずれかにおいて、
中央係止片部(6)の前記長手方向両側縁に第１係合部(13)を有し、その中央係止片部(6)の側で一対の第１分割側部(7)の縁にそれぞれ第１係止部(14)を有し、その反対側に第２係止部(15)を有し、
前記第２側部(8)の長手方向両端部に一対の第２係合部(16)を有し、
前記第１係合部(13)と第１係止部(14)とが止着されると共に、第２係合部(16)と第２係止部(15)とが互いに止着されて、前記本体部(1)が横断面筒状に形成されたことを特徴とする紙製ハンガー。
【考案の詳細な説明】
【技術分野】
【０００１】
本考案は、ダンボール等の厚紙からなる紙製ハンガーに関する。
【背景技術】
【０００２】
紙製ハンガーとして、下記特許文献１が知られている。
これは、肩受け支持片の中央にフック部を形成した芯材と、そのフック部のみが貫通する長孔を有する幅広の肩当て材とからなる。
次に特許文献２に記載の紙製ハンガーは、展開状態で中央部にフック部を一体に突設し、その両肩部に山形の谷折り線を形成する。そして、フック部は３重に重なるように形成したものである。
【先行技術文献】
【特許文献】
【０００３】
【特許文献１】特開平９−２７６１１６号公報
【特許文献２】特開平１１−１６４７６６号公報
【考案の概要】
【考案が解決しようとする課題】
【０００４】
特許文献１に記載の紙製ハンガーは二つの部材の組立て体からなり、部品点数が多くなる欠点がある。さらには、肩部は平面的に直線状態であり、洋服ハンガーとして平面が湾曲した理想形にはなっていない。
特許文献２のハンガーは、肩部の支持面が弱い欠点がある。また、フック部の先端部自体は３重になり強度があるものの、そのフック部の根元部は本体と一枚で連続しており、根元部が折れ曲がるおそれがある。さらに、特許文献１と同様に、肩部は平面的に直線状態であり、洋服ハンガーとして平面が湾曲した理想形にはなっていない。
そこで本考案はかかる欠点を取除くことを課題とする。
【課題を解決するための手段】
【０００５】
請求項１に記載の本考案は、細長い本体部(1)と、その本体部(1)の中央部に形成されたフック部(2)とが一体になるように、厚紙が切断され、その本体部(1)が幅方向に折り曲げられてなる紙製ハンガーにおいて、
前記本体部(1)は、幅方向の中央で、その長手方向に沿う帯状部が、展開状態で山形に湾曲した帯状肩部(3)を有し、その帯状肩部(3)の両側に山折りの第１折筋(4)と第２折筋(5)とが並列され、
第１折筋(4)に隣接して、その長手方向中央位置に中央係止片部(6)を有し、その長手方向の両側に隣接して一対の第１分割側部(7)を断続的に有し、
第２折筋(5)に隣接して連続した第２側部(8)を有し、
その第２側部(8)の長手方向中央部の縁に谷折りの第４折筋(9)を介して、前記フック部(2)が突設され、
前記本体部(1)が前記第１折筋(4)および第２折筋(5)で山折されたとき、その帯状肩部(3)が平面視および正面視で湾曲することを特徴とする紙製ハンガーである。
【０００６】
請求項２に記載の本考案は、請求項１において、
前記第２側部(8)の長手方向中央部に互いに長手方向に離間して、一対の第３折筋(17)が前記第２折筋(5)から前記幅方向へ谷折に形成されたことを特徴とする紙製ハンガーである。
【０００７】
請求項３に記載の本考案は、請求項１または請求項２において、
前記フック部(2)は、前記幅方向に形成された中央の折筋(10)の両側に、略対称形の第１部材(11)と第２部材(12)とを有し、その第１部材(11)のみが前記第４折筋(9)に隣接し、
その第１部材(11)と第２部材(12)とが折り重ねられると共に、その重なり部が接着されてフック部(2)を構成し、そのフック部(2)が第４折筋(9)で第２側部(8)の中央に折り重ねられ、その重なり部が接着された紙製ハンガーである。
【０００８】
請求項４に記載の本考案は、請求項１〜請求項３のいずれかにおいて、
中央係止片部(6)の前記長手方向両側縁に第１係合部(13)を有し、その中央係止片部(6)の側で一対の第１分割側部(7)の縁にそれぞれ第１係止部(14)を有し、その反対側に第２係止部(15)を有し、
前記第２側部(8)の長手方向両端部に一対の第２係合部(16)を有し、
前記第１係合部(13)と第１係止部(14)とが止着されると共に、第２係合部(16)と第２係止部(15)とが互いに止着されて、前記本体部(1)が横断面筒状に形成されたことを特徴とする紙製ハンガーである。
【考案の効果】
【０００９】
本考案の紙製ハンガーは、その帯状肩部３が展開状態で山形に湾曲し、その両側に第１折筋４、第２折筋５が形成され、それを山折したとき、帯状肩部３が平面視および正面視で湾曲するので、ハンガーが衣類の肩部に整合するものとなり、衣類の型崩れを防止できる紙製ハンガーとなる。
請求項２に記載のように、第２側部８の長手方向中央部に一対の第３折筋17を形成した場合には、さらに円滑な平面視の湾曲部を形成することができ、さらに被服の型崩れのない紙製ハンガーとなる。
【００１０】
請求項３に記載のように、フック部２の第１部材11と第２部材12とを折り重ねて、その重ね部を接着するとともに、さらにそれを第２側部８の中央に折り重ねて、その重なり部を接着した場合には、フック部２の根元部が二重となり丈夫で、強度の強い紙製ハンガーとなり、重量のある衣類を掛けることができる。
請求項４に記載のように、中央係止片部６と一対の第１分割側部７とを係止するとともに、その一対の第１分割側部７と第２側部８とを係止して本体部１を横断面筒状に形成した場合にはハンガーの形状を安定的に保ち、丈夫でより使い勝手の良いものとなる。
【図面の簡単な説明】
【００１１】
【図１】本考案の紙製ハンガーの展開状態を示す。
【図２】そのフック部２の折り重ねの第１工程を示す。
【図３】同第２工程を示す。
【図４】本紙製ハンガーの組立ての第１手順説明図。
【図５】同第２手順により完成した紙製ハンガーの斜視図。
【図６】同背面図。
【図７】同底面図。
【考案を実施するための形態】
【００１２】
次に、図面に基づいて本考案の実施の形態につき説明する。
本考案の紙製ハンガーは、図１に示す展開状態を有する。これは一例としてダンボール製の細長い本体部１と、その本体部１の中央部に突設したフック部２とが一体になるように切断されている。本体部１は、幅方向中央でその長手方向に沿う帯状部が展開状態で山形に湾曲した帯状肩部３を有する。そして、この帯状肩部３の幅方向両側に山折の第１折筋４と第２折筋５とが略平行に湾曲した台形に近い形で形成されている。
【００１３】
第１折筋４に隣接して、その長手方向の中央位置に中央係止片部６が幅方向に突設されている。中央係止片部６は、その中央のみが幅方向にわずかに舌片状に突出するとともに、舌片部の両側に羽部を有し、その羽部の付け根にハの字状の第５折筋19が形成されている。そして、この第５折筋19の先端と舌片部との境に一対の第１係合部13が形成されている。この第１係合部13は僅かな長さの切込みである。
【００１４】
次に、中央係止片部６を挟んでその両側には一対の第１分割側部７が幅方向それぞれ独立に突設されている。そして、それぞれの第１分割側部７の長手方向先端部の両縁はわずかにフック状に突設されている。そして、中央係止片部６側のフック部にそれぞれ第１係止部14が形成され、中央係止片部６に対してその反対側のフック部には第２係止部15が形成されている。
【００１５】
第２折筋５に隣接し、一体的に第２側部８が幅方向に形成されている。そして、その中央部にハの字状の第３折筋17が谷折りに形成されている。さらに、第２側部８の中央には第１部材11と第２部材12とからなるフック部２が、第４折筋９を介して一体的に突設されている。
【００１６】
第１部材11と第２部材12は、谷折りの中央の折筋10を介して略対称形に形成され、その付け根部は第１部材11のみが第２側部８と連続する。
次に第２側部８の先端縁両端部には、フック状の一対の第２係合部16が形成されている。なお、この例では第１折筋４、第２折筋５の長手方向両端部は３つに分岐した第６折筋20が山折に形成されている。
【００１７】
このような展開図において、後述するように、中央係止片部６の第１係合部13と第１分割側部７の第１係止部14とが互いに係止され、第１分割側部７の第２係止部15と第２側部８の第２係合部16とが互いに係止される。
【００１８】
（フック部作成手順）
次に、フック部２の製作手順につき説明する。
図２に示すごとく、第２部材12を中央の折筋10の周りに折返して、第１部材11に重ね合わせる。そして、重ね合わされた第１部材11と第２部材12との間にのり材18等の接着剤を介在させ、一体に保持する。次いで、図３に示すごとく、フック部２を第４折筋９の周りに折り重ね、第２側部８との間のみをのり材18等により接着する。通常、図３の状態が製品の完成状態である。この状態で搬送され、使用時に後述する手順により組立てるものである。
【００１９】
（組立て手順）
図４に示すごとく、第１折筋４、第２折筋５の周りに一対の第１分割側部７および中央係止片部６並びに第２側部８を山折に折り曲げる。そして、図６のごとく、中央係止片部６の第１係合部13と第１分割側部７の第１係止部14とを係止する。それと共に、図５および図６に示すごとく、第２側部８の第２係合部16と第１分割側部７の第２係止部15とを係止する。そして、この時、図４および図７に示すごとく、第３折筋17がわずかに谷折りに形成される。仮にこの第３折筋17を用いなくともダンボールの弾性で同様に湾曲するが、折筋17を設けることにより、より円滑に湾曲が可能となる。
【００２０】
このようにしてなるハンガーは、図７から明らかなようにその平面形状が山形に湾曲するとともに、図６から明らかなごとく、その正面および裏面形状も山形に形成される。それにより背広等の洋服の肩部に馴染んだ理想的な曲線を有するハンガーとなる。
また、フック部２は図４のごとく、２重に重ねられて互いに接着させられるとともに、その根元部が２重のままで、第２側部８に接着される。それによって、フック部２の根元部の強度を保持することができる。なお、図４，図５において、第６折筋20を設けることにより、さらに帯状肩部３の先端部の横断面を滑らかに湾曲させ、背広等に馴染んだ肩部を提供できる。
【符号の説明】
【００２１】
１  本体部
２  フック部
３  帯状肩部
４  第１折筋
５  第２折筋
６  中央係止片部
７  第１分割側部
８  第２側部
９  第４折筋
【００２２】
10  中央の折筋
11  第１部材
12  第２部材
13  第１係合部
14  第１係止部
15  第２係止部
16  第２係合部
17  第３折筋
18  のり材
19  第５折筋
20  第６折筋
【図１】
0003159829.tif 000003
【図２】
0003159829.tif 000004
【図３】
0003159829.tif 000005
【図４】
0003159829.tif 000006
【図５】
0003159829.tif 000007
【図６】
0003159829.tif 000008
【図７】
0003159829.tif 000009